(57)【要約】【課題】送受信モジュールの出力パワーレベルの調整をミリ秒オーダー以下の調整速度で実現でき、しかも装置を大型化することなく多数のＤＵＴを同時に調整すること。【解決手段】このパワーレベル調整装置は、基準送受信モジュール１１から信号ケーブル１４経由でＤＵＴ１０に対して所定データを送信し、当該ＤＵＴ１０から返信されたＡｃｋからＲＳＳＩ値を検出する。基準送受信モジュール１１で検出されたＲＳＳＩ値をＬＡＮケーブル１３経由でパーソナルコンピュータ１２へ伝送し、パーソナルコンピュータ１２からＤＵＴ１０へ利得指令値を与える。ＲＳＳＩ値が所定値になるまで、基準送受信モジュール１１からＤＵＴ１０に所定データを送信し、そのＡｃｋからＲＳＳＩ値を検出してパーソナルコンピュータ１２へ伝送し、ＲＳＳＩ値に応じた利得指令値をＤＵＴ１０に与える処理を繰り返す。【選択図】図１
2007189453.tif 000002
【特許請求の範囲】
【請求項１】
送受信モジュールに内蔵されたパワーアンプの出力レベルを調整するためのパワーレベル調整装置であって、
前記送受信モジュールに対して所定データを送信し、当該送受信モジュールから返信されたアクノレッジデータから受信入力電界強度を検出する基準送受信モジュールと、
前記基準送受信モジュールで検出された受信入力電界強度に基づいて指令値を求め、その指令値を前記パワーアンプに与えて出力レベルを制御するパワーレベル制御手段と、
を具備したパワーレベル調整装置。
【請求項２】
前記パワーレベル制御手段をパーソナルコンピュータで構成すると共に当該パワーレベル制御手段と前記基準送受信モジュールとの間をＬＡＮケーブルで接続し、
前記基準送受信モジュールで検出した受信入力電界強度を前記ＬＡＮケーブル経由で前記パワーレベル制御手段へ伝送し、
前記受信入力電界強度が所定値になるまで、前記基準送受信モジュールから前記送受信モジュールに所定データを送信し、そのアクノレッジデータから受信入力電界強度を検出して前記パワーレベル制御手段へ伝送し、検出された受信入力電界強度に応じた指令値を前記パワーアンプに与えるといった一連の処理を繰り返すことを特徴とする請求項１記載のパワーレベル調整装置。
【請求項３】
前記パワーレベル制御手段を演算器で構成し、
前記基準送受信モジュールで検出した受信入力電界強度を前記送受信モジュールへ返送し、前記演算器が、当該送受信モジュールへ返送された受信入力電界強度に応じて、前記パワーアンプの出力レベルの増減値を計算し、その計算結果によって前記パワーアンプの出力レベルを制御することを特徴とする請求項１記載のパワーレベル調整装置。
【請求項４】
前記送受信モジュールは、無線ＬＡＮ用の送受信モジュールであることを特徴とする請求項１から請求項３の何れかに記載のパワーレベル調整装置。
【請求項５】
送受信モジュールに内蔵されたパワーアンプの出力レベルを調整するためのパワーレベル調整装置であって、
調整対象となる複数の送受信モジュールに対して接続され、前記各送受信モジュールに対して所定データを送信し、前記各送受信モジュールから返信された各アクノレッジデータから受信入力電界強度をそれぞれ検出する基準送受信モジュールと、
前記各送受信モジュールに対してそれぞれ設けられ、前記基準送受信モジュールで検出された対応する送受信モジュールの受信入力電界強度に基づいて指令値を求め、その指令値を対応する送受信モジュールのパワーアンプに与えて出力レベルを制御する複数のパワーレベル制御部と、
を具備したパワーレベル調整装置。
【請求項６】
送受信モジュールに内蔵されたパワーアンプの出力レベルを調整するためのパワーレベル調整方法であって、
前記送受信モジュールに対して基準送受信モジュールから所定データを送信し、当該送受信モジュールから基準送受信モジュールへ返信されたアクノレッジデータから受信入力電界強度を検出し、
前記送受信モジュールに対して設けられたパワーレベル制御手段において前記基準送受信モジュールで検出された受信入力電界強度に基づいて指令値を求め、その指令値を前記パワーアンプに与えて出力レベルを制御する、
ことを特徴とするパワーレベル調整方法。
【請求項７】
前記パワーレベル制御手段を構成するパーソナルコンピュータに対して、前記基準送受信モジュールで検出された前記受信入力電界強度をＬＡＮケーブル経由で伝送し、
前記受信入力電界強度が所定値になるまで、前記基準送受信モジュールから前記送受信モジュールに所定データを送信し、そのアクノレッジデータから受信入力電界強度を検出して前記パワーレベル制御手段へ伝送し、検出された受信入力電界強度に応じた指令値を前記パワーアンプに与えるといった一連の処理を繰り返すことを特徴とする請求項６記載のパワーレベル調整方法。
【請求項８】
前記基準送受信モジュールで検出した受信入力電界強度を前記送受信モジュールへ返送し、前記パワーレベル制御手段を構成する前記演算器が、当該送受信モジュールへ返送された受信入力電界強度に応じて、前記パワーアンプの出力レベルの増減値を計算し、その計算結果によって前記パワーアンプの出力レベルを制御することを特徴とする請求項６記載のパワーレベル調整方法。
【請求項９】
送受信モジュールに内蔵されたパワーアンプの出力レベルを調整するためのパワーレベル調整方法であって、
調整対象となる複数の送受信モジュールに対して１台の基準送受信モジュールから所定データを送信し、前記各送受信モジュールから基準送受信モジュールに返信された各アクノレッジデータから受信入力電界強度をそれぞれ検出し、
前記各送受信モジュールに対してそれぞれ設けられた複数のパワーレベル制御部が、前記基準送受信モジュールで検出された対応する送受信モジュールの受信入力電界強度に基づいて指令値を求め、その指令値を対応する送受信モジュールのパワーアンプに与えて出力レベルを制御する、
ことを特徴とするパワーレベル調整方法。
【請求項１０】
前記送受信モジュールは、無線ＬＡＮ用の送受信モジュールであることを特徴とする請求項６から請求項９の何れかに記載のパワーレベル調整方法。
【発明の詳細な説明】
【技術分野】
【０００１】
本発明は、送受信モジュールに内蔵されたパワーアンプの出力レベルを調整するためのパワーレベル調整装置及びパワーレベル調整方法に関する。
【背景技術】
【０００２】
例えば、無線ＬＡＮ等に使用される送受信モジュールはパワーアンプを内蔵しており、パワーアンプの出力パワーレベルを所要範囲に調整することは送信信号及び受信信号の精度向上に大きく寄与する。そのため、製品の出荷前に、送受信モジュール内のパワーアンプを所望の出力パワーレベルに調整するパワーレベル調整作業が行われている。送受信モジュールの出力パワーレベルを調整する装置としてパワーメータを用いたものがある（例えば、特許文献１参照）。
【０００３】
図８に示すように、出力パワーレベルの調整対象となる送受信モジュール（以下、「ＤＵＴ（デバイス・アンダーテスト）という」）１００にパワーメータ１０１を接続すると共にＤＵＴ１００とパーソナルコンピュータ１０２とを接続する。パーソナルコンピュータ１０２からＤＵＴ１００にパワー出力を要請するコマンドを書き込み、ＤＵＴ１００が書き込まれたコマンドを認識して初期値としてパワーアンプに設定されている利得にてパワー出力を行う。パワーメータ１０１で計測される出力パワーレベルをＧＰＩＢ経由でパーソナルコンピュータ１０２へ送る。パーソナルコンピュータ１０２は出力パワーレベルがターゲットレベルに近づくようにＤＵＴ１００にパワーアンプの利得指令値を与えて出力パワーレベルを調整する。
【特許文献１】特開平９−２７７７１号公報
【発明の開示】
【発明が解決しようとする課題】
【０００４】
しかしながら、従来のパワーレベル調整装置は、パーソナルコンピュータ１０２からＤＵＴ１００へパワー出力を要請するコマンドを書き込み、ＤＵＴ１０がそのコマンドを解釈してからパワー出力を開始し、さらにパワーメータ１０１で計測された出力パワーレベルをＧＰＩＢ経由でパーソナルコンピュータ１０２へ伝送しているため、秒オーダーの調整速度までしか実現できず、調整速度が遅いという問題があった。
【０００５】
また、従来のパワーレベル調整装置は、１つのＤＵＴ１００のパワーレベルを調整するのに専用のパワーメータ１０１が１台必要となるので、複数のＤＵＴを同時に調整しようとすると、ＤＵＴと同数のパワーメータが必要となり、装置が大型化してコストアップになるといった問題がある。
【０００６】
本発明は、かかる点に鑑みてなされたものであり、送受信モジュールの出力パワーレベルの調整をミリ秒オーダー以下の調整速度で実現でき、しかも装置を大型化することなく多数のＤＵＴを同時に調整可能なパワーレベル調整装置及びパワーレベル調整方法を提供することを目的とする。
【課題を解決するための手段】
【０００７】
本発明のパワーレベル調整装置は、送受信モジュールに内蔵されたパワーアンプの出力レベルを調整するためのパワーレベル調整装置であって、前記送受信モジュールに対して所定データを送信し、当該送受信モジュールから返信されたアクノレッジデータから受信入力電界強度を検出する基準送受信モジュールと、前記基準送受信モジュールで検出された受信入力電界強度に基づいて指令値を求め、その指令値を前記パワーアンプに与えて出力レベルを制御するパワーレベル制御手段と、を具備したことを特徴とする。
【０００８】
この構成によれば、調整対象となる送受信モジュールと基準送受信モジュールとの間で所定データとアクノレッジデータを交換し、その時のアクノレッジデータから検出された受信入力電界強度に基づいてパワーアンプの出力レベルを調整するので、パワーメータで測定した出力レベル情報をＧＰＩＢ経由でパーソナルコンピュータに伝送する場合に比べて、大幅な高速化が可能になる。
【０００９】
また本発明は、上記パワーレベル調整装置において、前記パワーレベル制御手段をパーソナルコンピュータで構成すると共に当該パワーレベル制御手段と前記基準送受信モジュールとの間をＬＡＮケーブルで接続し、前記基準送受信モジュールで検出した受信入力電界強度を前記ＬＡＮケーブル経由で前記パワーレベル制御手段へ伝送することとし、前記受信入力電界強度が所定値になるまで、前記基準送受信モジュールから前記送受信モジュールに所定データを送信し、そのアクノレッジデータから受信入力電界強度を検出して前記パワーレベル制御手段へ伝送し、検出された受信入力電界強度に応じた指令値を前記パワーアンプに与える一連の処理を繰り返すことを特徴とする。
【００１０】
この構成により、調整対象となる送受信モジュールと基準送受信モジュールとの間で所定データとアクノレッジデータを交換し、その時のアクノレッジデータから受信入力電界強度を検出するので、極めて高速に受信入力電界強度を検出してパーソナルコンピュータに伝送でき、送受信モジュールのパワーアンプの出力レベルの調整作業を高速化することができる。
【００１１】
また本発明は、上記パワーレベル調整装置において、前記パワーレベル制御手段を演算器で構成し、前記基準送受信モジュールで検出した受信入力電界強度を前記送受信モジュールへ返送し、前記演算器が、当該送受信モジュールへ返送された受信入力電界強度に応じて、前記パワーアンプの出力レベルの増減値を計算し、その計算結果によって前記パワーアンプの出力レベルを制御することを特徴とする。
【００１２】
この構成により、演算器が送受信モジュールへ返送された受信入力電界強度に応じて、パワーアンプの出力レベルの増減値を計算し、その計算結果によってパワーアンプの出力レベルを制御するので、パーソナルコンピュータが基準送受信モジュールから受信入力電界強度を受信する場合に比べて、送受信モジュールのパワーアンプの出力レベルの調整作業を短縮化することができる。
【００１３】
また本発明のパワーレベル調整装置は、送受信モジュールに内蔵されたパワーアンプの出力レベルを調整するためのパワーレベル調整装置であって、調整対象となる複数の送受信モジュールに対して接続され、前記各送受信モジュールに対して所定データを送信し、前記各送受信モジュールから返信された各アクノレッジデータから受信入力電界強度をそれぞれ検出する基準送受信モジュールと、前記各送受信モジュールに対してそれぞれ設けられ、前記基準送受信モジュールで検出された対応する送受信モジュールの受信入力電界強度に基づいて指令値を求め、その指令値を対応する送受信モジュールのパワーアンプに与えて出力レベルを制御する複数のパワーレベル制御部と、を具備したことを特徴とする。
【００１４】
この構成により、１台の基準送受信モジュールが複数の各送受信モジュールに対して所定データを送信し、前記各送受信モジュールから返信された各アクノレッジデータから受信入力電界強度をそれぞれ検出するものとしたので、送受信モジュール毎にパワーメータを設ける構成に比べて、装置全体の構成を大幅に簡素化できる。
【００１５】
また本発明のパワーレベル調整方法は、送受信モジュールに内蔵されたパワーアンプの出力レベルを調整するためのパワーレベル調整方法であって、前記送受信モジュールに対して基準送受信モジュールから所定データを送信し、当該送受信モジュールから基準送受信モジュールへ返信されたアクノレッジデータから受信入力電界強度を検出し、前記送受信モジュールに対して設けられたパワーレベル制御手段において前記基準送受信モジュールで検出された受信入力電界強度に基づいて指令値を求め、その指令値を前記パワーアンプに与えて出力レベルを制御することを特徴とする。
【００１６】
また本発明のパワーレベル調整方法において、前記パワーレベル制御手段を構成するパーソナルコンピュータに対して、前記基準送受信モジュールで検出された前記受信入力電界強度をＬＡＮケーブル経由で伝送し、前記受信入力電界強度が所定値になるまで、前記基準送受信モジュールから前記送受信モジュールに所定データを送信し、そのアクノレッジデータから受信入力電界強度を検出して前記パワーレベル制御手段へ伝送し、検出された受信入力電界強度に応じた指令値を前記パワーアンプに与える処理を繰り返すことを特徴とする。
【００１７】
また本発明のパワーレベル調整方法において、前記基準送受信モジュールで検出した受信入力電界強度を前記送受信モジュールへ返送し、前記パワーレベル制御手段を構成する前記演算器が、当該送受信モジュールへ返送された受信入力電界強度に応じて、前記パワーアンプの出力レベルの増減値を計算し、その計算結果によって前記パワーアンプの出力レベルを制御することを特徴とする。
【００１８】
また本発明のパワーレベル調整方法は、送受信モジュールに内蔵されたパワーアンプの出力レベルを調整するためのパワーレベル調整方法であって、調整対象となる複数の送受信モジュールに対して１台の基準送受信モジュールから所定データを送信し、前記各送受信モジュールから基準送受信モジュールに返信された各アクノレッジデータから受信入力電界強度をそれぞれ検出し、前記各送受信モジュールに対してそれぞれ設けられた複数のパワーレベル制御部が、前記基準送受信モジュールで検出された対応する送受信モジュールの受信入力電界強度に基づいて指令値を求め、その指令値を対応する送受信モジュールのパワーアンプに与えて出力レベルを制御することを特徴とする。
【００１９】
なお、前記送受信モジュールは、無線ＬＡＮ用の送受信モジュールであることを特徴とする。
【発明の効果】
【００２０】
本発明によれば、送受信モジュールの出力パワーレベルの調整をミリ秒オーダー以下の調整速度で実現でき、しかも装置を大型化することなく多数のＤＵＴを同時に調整することができる。
【発明を実施するための最良の形態】
【００２１】
以下、本発明の一実施の形態について添付図面を参照して詳細に説明する。
（実施の形態１）
本実施の形態は、無線ＬＡＮに用いられる送受信モジュールの出力パワーレベルを調整するパワーレベル調整装置に関するものであるが、本発明は無線ＬＡＮの送受信モジュールのパワーレベル調整に限定されるものではない。
【００２２】
図１は本実施の形態に係るパワーレベル調整装置の構成図である。ＤＵＴ１０に対して信号ケーブル１４を介して基準送受信モジュール１１が接続されると共にパーソナルコンピュータ１２がインターフェース１５を介して接続されている。また基準送受信モジュール１１とパーソナルコンピュータ１２との間はＬＡＮケーブル１３で接続されている。
【００２３】
ＤＵＴ１０はパワーアンプを内蔵した調整対象となる送受信モジュールであり、外部からパワーアンプの利得を調整可能に構成されている。この送受信モジュールは、モジュール本来の機能として他の送受信モジュールとパケット通信する通信機能を有しており、他の送受信モジュールからパケットを受信すると応答（Ａｃｋ：アクノレッジデータ）を高速で返信するハードロジックが組み込まれている。
【００２４】
基準送受信モジュール１１は、性能（パワー、感度等）が既知の通信機器であり、基本的にはＤＵＴ１０と同様の通信機能を有している。後述するように、基準送受信モジュール１１は、ＤＵＴ１０に所定データ（例えば、空パケット）を送信し、ＤＵＴ１０から返信されるＡｃｋからＲＳＳＩ値（受信入力電界強度）を検出し、ＲＳＳＩ値をＬＡＮケーブル１３経由でパーソナルコンピュータ１２へ伝送する機能を有する。すなわち、通常の通信機器としてパケット通信機能を有していれば良く、パワーメータの機能を備える必要はない。
【００２５】
パーソナルコンピュータ１２は、基準送受信モジュール１１から取り込むＲＳＳＩ値に基づいて、ＤＵＴ１０の出力パワーレベルをターゲットレベルに近づける利得指令値を求めて出力する。
【００２６】
図２はパーソナルコンピュータ１２からＤＵＴ１０に与える利得指令値とＤＵＴ１０の出力パワーレベルとの関係を示す概念図である。ＤＵＴ１０の性能に応じて多少の差はあるもののほぼ利得指令値と出力パワーレベルとは比例関係にある。パーソナルコンピュータ１２は、図２に示す利得指令値と出力パワーレベルとの対応テーブルを持つ。そして、現在の出力パワーレベル（ＲＳＳＩ値）がターゲットレベルの許容範囲（下限値から上限値の間）に入っていなければターゲットレベルに近づける利得指令値を求める。
【００２７】
次に、以上のように構成されたパワーレベル調整装置の動作について説明する。
図３はパワーレベル調整装置のシーケンス図である。基準送受信モジュール１１は、パワーレベル調整が開始されるとパワーレベル未調整のＤＵＴ１０を宛先としたパケットデータ（１）を信号ケーブル１４経由でＤＵＴ１０へ送信する。
【００２８】
ＤＵＴ１０は、信号ケーブル１４から自分宛のパケットデータ（１）を受信する。上記したように、ＤＵＴ１０の集積回路には自分宛のパケットを受信したら、即座に元の送信元を宛先とした応答パケット（Ａｃｋ）を送信するハードロジックが組まれている。集積回路に組み込まれるハードロジックであれば数百マイクロ秒オーダーでＡｃｋを返すことができる。
【００２９】
基準送受信モジュール１１は、ＤＵＴ１０から返信されたＡｃｋ（１）を受信すると、当該Ａｃｋ（１）の信号レベルからＲＳＳＩ値を読み取る。Ａｃｋ（１）はＤＵＴ１０を構成する送受信モジュールの出力信号であるので、Ａｃｋ（１）のＲＳＳＩ値はＤＵＴ１０の現在の出力パワーレベルを現すパラメータとなる。Ａｃｋ（１）から得られたＲＳＳＩ値（１）は即座にＬＡＮケーブル１３経由でパーソナルコンピュータ１２へ送信する。
【００３０】
ここで、パーソナルコンピュータ１２がＲＳＳＩ値（１）を基準送受信モジュール１１から受信するまでに要する時間は、ＬＡＮケーブル１３による送信時間が多くの部分を占める。ＬＡＮケーブル１３による送信時間は、従来のパワーレベル調整装置で採用していたＧＰＩＢによる送信時間に比べて大幅に高速であることが知られている。
【００３１】
パーソナルコンピュータ１２は、基準送受信モジュール１１からＲＳＳＩ値（１）を受信すると、当該ＲＳＳＩ値（１）からＤＵＴ１０をターゲットレベルに近づける利得指令値を計算する。例えば、図２に示すようにＲＳＳＩ値（１）が３０ｄＢｍであった場合、利得指令値を「４」にすれば良いことになる。そこで、パーソナルコンピュータ１２は、利得指令値（１）として「４」をＤＵＴ１０に与える。
【００３２】
ＤＵＴ１０は、パーソナルコンピュータ１２から指示された利得指令値（１）にしたがってパワーアンプの利得を調整する。この結果、ＤＵＴ１０は利得指令値（１）にて利得調整されたパワーアンプ出力が信号出力として現れる。
【００３３】
なお、製品によって性能に誤差があるのでターゲットレベルに相当する利得指令値を与えたとしても、必ずしもＤＵＴ１０の出力パワーレベルがターゲットレベルに調整されるとは限らない。このため、ＤＵＴ１０の出力パワーレベルがターゲットレベルの許容範囲内に調整されるまで上記同様の処理を繰り返す。但し、２回目以降の利得指令値は二分木などのアルゴリズムに基づいて細かに決定していくことになる。
【００３４】
基準送受信モジュール１１は、パーソナルコンピュータ１２から調整終了コマンドが出されるまで、所定の周期でＤＵＴ１０を宛先にしたパケットデータ（２）…を信号ケーブル１４上に送出する。そして、パケットデータ（２）…に対するＡｃｋ（２）…を受信してＲＳＳＩ値（２）…を計算し、パーソナルコンピュータ１２へ送信する。
【００３５】
ここで、本実施の形態では、パーソナルコンピュータ１２は、２回目以降は二分木法にしたがって利得指令値を求めるものとする。具体的には、今回のＲＳＳＩ値とターゲットＲＳＳＩ値との差分の中間点を目標とした利得指令値を計算する。なお、二分木法以外のアルゴリズムでＲＳＳＩ値をターゲットＲＳＳＩ値に近づけるようにしても良い。
【００３６】
パーソナルコンピュータ１２は、最終的に基準送受信モジュール１１から通知されるＲＳＳＩ値で表された出力パワーレベルがターゲットレベルの許容範囲内に入ったことを検出すると、基準送受信モジュール１１に対して調整終了コマンドを送信して、調整作業を終了させる。
【００３７】
このように本実施の形態によれば、基準送受信モジュール１１からＤＵＴ１０に対してパケットを送信し、ＤＵＴ１０から返信されるＡｃｋからＲＳＳＩ値を読み取り、そのＲＳＳＩ値をパーソナルコンピュータ１２へＬＡＮ経由で送信して利得指令値を求め、ＤＵＴ１０に与えるようにしたので、パケットの送信とＡｃｋの返信といった通信手順でＤＵＴ１０の出力パワーレベルに関する情報（ＲＳＳＩ値）を取得でき、従来方式のようにパーソナルコンピュータからＤＵＴにパワー出力を要請するコマンドを書き込む場合に比べて大幅に時間を短縮できる。また、基準送受信モジュール１１からパーソナルコンピュータ１２へのＲＳＳＩ値の伝送はＬＡＮケーブル１３を用いるので、ＧＰＩＢ経由でのデータ伝送に比べて時間を短縮できる。この結果、パワーレベルの調整作業をミリ秒オーダーで行うことができる。
【００３８】
（実施の形態２）
本実施の形態は、上記実施の形態１よりも高速化を図るためにパーソナルコンピュータ１２に代えてＤＳＰ（Digital Signal Processor）を設けた例である。ＤＳＰはＬＡＮ経由ではなくＤＵＴ１０から直接ＲＳＳＩ値を読み取れるようにインターフェース経由で両者を接続する。
【００３９】
図４は本実施の形態に係るパワーレベル調整装置の構成図である。ＤＵＴ１０に対して信号ケーブル１４を介して基準送受信モジュール１１が接続されると共にＤＳＰ２０がインターフェース１５を介して接続されている。
【００４０】
ＤＵＴ１０は、自分宛のパケットに対して即座にＡｃｋを返すハードロジックが組み込まれていることは実施の形態１と同じである。さらに本実施の形態は、基準送受信モジュール１１から受信したパケットからＲＳＳＩ値を取り出し、ＤＳＰ２０から読み込み可能なメモリに格納するように構成している。
【００４１】
基準送受信モジュール１１は、ＤＵＴ１０にデータ（例えば、空パケット）を送信し、ＤＵＴ１０から返信されるＡｃｋからＲＳＳＩ値を検出することは実施の形態１と同じである。さらに本実施の形態は、Ａｃｋから検出したＲＳＳＩ値をＤＵＴ１０に返信する。
【００４２】
ＤＳＰ２０は、ＲＳＳＩ値の入力に対して利得指令値を出力するハードロジックが組み込まれている。ＲＳＳＩ値はインターフェース１５経由でＤＵＴ１０のメモリから読み込むことにより取得する。ＲＳＳＩ値から利得指令値を求めるためのアルゴリズムは後述する。
【００４３】
次に、以上のように構成された本実施の形態の動作について説明する。
図５はパワーレベル調整装置のシーケンス図である。基準送受信モジュール１１は、パワーレベル調整が開始されるとパワーレベル未調整のＤＵＴ１０を宛先としたパケットデータ（１）を信号ケーブル１４経由でＤＵＴ１０へ送信する。
【００４４】
ＤＵＴ１０は、信号ケーブル１４から自分宛のパケットデータ（１）を受信する。上記したように、ＤＵＴ１０は自分宛のパケットを受信したら、送信元の基準送受信モジュール１１に数百マイクロ秒オーダーでＡｃｋを返す。
【００４５】
基準送受信モジュール１１は、ＤＵＴ１０から返信されたＡｃｋ（１）を受信すると、当該Ａｃｋ（１）の信号レベルからＲＳＳＩ値を読み取る。そして、Ａｃｋ（１）から得られたＲＳＳＩ値（１）を再びＤＵＴ１０へ返信する。
【００４６】
ＤＵＴ１０は、基準送受信モジュール１１から受信したパケットからＲＳＳＩ値を切り出して所定のメモリに格納する。かかるＲＳＳＩ値の切り出し及び格納もハードロジックで実現するものとする。
【００４７】
ＤＳＰ２０は、インターフェース１５を介してＤＵＴ１０からＲＳＳＩ値（１）が入力され、ハードロジックにしたがって当該ＲＳＳＩ値（１）からＤＵＴ１０をターゲットレベルに近づける利得指令値を出力する。
【００４８】
図６はＤＳＰ２０がＲＳＳＩ値から利得指令値を求めるためのアルゴリズムであり、かかるアルゴリズムを実現するハードロジックがＤＳＰ２０の内部に構築されている。ＤＵＴ１０からのＲＳＳＩ値の入力（Ｔ１）に対して、ＲＳＳＩ値がターゲットＲＳＳＩの上限値(４２ｄＢｍ）から下限値（４０ｄＢｍ）の範囲内にあるか否か判定する（Ｔ２，Ｔ３）。ターゲットＲＳＳＩとは、図２に示すターゲットレベル（４１ｄＢｍ）をＲＳＳＩ換算した値のことである。ＲＳＳＩ値が上限値(４２ｄＢｍ）から下限値（４０ｄＢｍ）の範囲内に入っていれば調整作業を終了する（Ｔ４）。
【００４９】
一方、ＲＳＳＩ値が上記許容範囲内に入っていなかった場合、現在のＲＳＳＩ値とターゲットＲＳＳＩとの差分を計算し（Ｔ５）、その計算結果である差分値から利得指令値を決定する（Ｔ６）。例えば、ＲＳＳＩ値がターゲットＲＳＳＩよりもどの程度小さければ、利得指令値をどの程度アップし、逆にＲＳＳＩ値がターゲットＲＳＳＩよりもどの程度大きければ、利得指令値をどの程度ダウンするかといったデータをテーブル化したルックアップテーブルを構成する。ルックアップテーブルの入力を現在のＲＳＳＩ値とし、出力を利得指令値とすることで高速に利得指令値を出力することができる。なお、実施の形態１と同様に初回のレベル調整ではターゲットレベルに対応した利得指令値が出力されるように設定しておくものとする。
【００５０】
ＤＵＴ１０は、ＤＳＰ２０から出力された利得指令値にしたがってパワーアンプの利得を調整する。この結果、ＤＵＴ１０は利得指令値にて利得調整されたパワーアンプ出力が信号出力として現れる。
【００５１】
このように本実施の形態によれば、基準送受信モジュール１１でＡｃｋから検出したＲＳＳＩ値を、利得指令値を出力するＤＳＰ２０に対して、ＬＡＮケーブル経由よりも高速化が可能なモジュール１０，１１間通信及びハードロジック処理でＤＳＰ２０へ渡すようにしたので、パワーレベルの調整作業をより高速化することができる。
【００５２】
しかも、本実施の形態ではＤＳＰ２０を用いてＲＳＳＩ値から利得指令値を出力するハードロジックを組み込んでいるので、パーソナルコンピュータによる処理に比べて高速化が可能である。
【００５３】
なお、ＤＳＰ２０に代えてＦＰＧＡ（Field  Programmable  Gate  Array）を用いることもできる。ＦＰＧＡを用いた場合もＤＳＰと同様の高速化が可能になると共に柔軟性も向上する。また、ＤＳＰ２０に代えてパーソナルコンピュータを用いても良く、モジュール１０，１１間通信による高速化は可能である。
【００５４】
図７は、上記実施の形態２をベースにして、１つの基準送受信モジュール１１で複数のＤＵＴの調整を可能にシステム構築した構成例を示す図である。複数のＤＵＴ１０−１〜１０−ｎに対してＤＳＰ２０−１〜２０−ｎをそれぞれインターフェース１５−１〜１５−ｎを介して接続し、１台の基準送受信モジュール１１を信号ケーブル１４−１〜１４−ｎを介してＤＵＴ１０−１〜１０−ｎに接続している。なお、ＤＵＴ１０−１〜１０−ｎ、基準送受信モジュール１１、ＤＳＰ２０−１〜２０−ｎは上記実施の形態２の各対応する部分と同じ機能を有する。
【００５５】
基準送受信モジュール１１は、各ＤＵＴ１０−１〜１０−ｎに対して一斉通信またはシリーズに時分割通信を行う。各ＤＵＴ１０−１〜１０−ｎから返信されるＡｃｋのヘッダに含まれた識別情報（例えばＭＡＣアドレス）から送信元ＤＵＴを識別し、それぞれのＲＳＳＩ値を検出する。そして、検出したＲＳＳＩ値を対応するＤＵＴ１０−１〜１０−ｎに対して返信する。
【００５６】
各ＤＵＴ１０−１〜１０−ｎと各ＤＳＰ２０−１〜２０−ｎとの間のやり取りは上記実施の形態２と同様である。したがって、基準送受信モジュール１１は複数のＤＵＴ１０−１〜１０−ｎとパラレルに通信してＤＵＴからのＡｃｋから検出されるＲＳＳＩ値を返信する処理を何度か繰り返すだけで、複数のＤＵＴ１０−１〜１０−ｎが自動的に調整されるものとなる。
【００５７】
このように、１台の基準送受信モジュール１１と複数のＤＵＴ１０−１〜１０−ｎとの間でパケットの送信とそのＡｃｋの受信並びにＲＳＳＩ値の返信を行うだけで、複数のＤＵＴ１０−１〜１０−ｎのパワー出力レベルを自動的に調整でき、システムの簡素化を図ることができる。
【００５８】
なお、ＤＳＰ２０−１〜２０−ｎに代えてＦＰＧＡ又はパーソナルコンピュータを用いるようにしても良い。
【産業上の利用可能性】
【００５９】
本発明は、送受信モジュールに内蔵されたパワーアンプの出力レベルを調整するためのパワーレベル調整装置及びパワーレベル調整方法に適用可能である。
【図面の簡単な説明】
【００６０】
【図１】本発明の実施の形態１に係るパワーレベル調整装置の構成図
【図２】利得指令値とＤＵＴの出力パワーレベルとの関係を示す概念図
【図３】上記実施の形態１におけるパワーレベル調整のためのシーケンス図
【図４】本発明の実施の形態２に係るパワーレベル調整装置の構成図
【図５】上記実施の形態２におけるパワーレベル調整のためのシーケンス図
【図６】ＤＳＰにおける利得指令値を得るためのアルゴリズムを示す概念図
【図７】上記実施の形態２の変形例の構成図
【図８】従来のパワーレベル調整装置の構成図
【符号の説明】
【００６１】
１０  ＤＵＴ
１１  基準送受信モジュール
１２  パーソナルコンピュータ
１３  ＬＡＮケーブル
１４  信号ケーブル
１５  インターフェース
２０  ＤＳＰ
【図１】
2007189453.tif 000003
【図２】
2007189453.tif 000004
【図３】
2007189453.tif 000005
【図４】
2007189453.tif 000006
【図５】
2007189453.tif 000007
【図６】
2007189453.tif 000008
【図７】
2007189453.tif 000009
【図８】
2007189453.tif 000010